(57)【要約】【課題】本発明は、手の掌の全面が載置面に接触しにくいようにすることができる光照射装置を得る。【解決手段】本発明の光照射装置１は、挿入した手に光を照射する光照射装置１であって、筐体２２と、筐体２２に設けられ、手を指先から挿入可能な開口２３を有する空洞部２４と、空洞部２４に挿入された手を掌側にて載置する載置面２５と、手の掌底部に対応した載置面２５上の位置に設けられる隆起部２６と、を備えるという構成を有する。【選択図】図２
2013153936.tif 000002
【特許請求の範囲】
【請求項１】
挿入した手に光を照射する光照射装置であって、
筐体と、
前記筐体に設けられ、手を指先から挿入可能な開口を有する空洞部と、
前記空洞部に挿入された手を掌側にて載置する載置面と、
手の掌底部に対応した載置面上の位置に設けられる隆起部と、を備えることを特徴とする光照射装置。
【請求項２】
前記隆起部は、手の掌底部が接触する接触面であって、開口側から奥側にかけて立ち上がるように傾斜する接触面を有する請求項１に記載の光照射装置。
【請求項３】
前記隆起部は、前記接触面から立ち下がるように傾斜する背面を有する請求項２に記載の光照射装置。
【請求項４】
前記背面の載置面に対する傾斜角は、前記接触面の載置面に対する傾斜角よりも大きい請求項３に記載の光照射装置。
【請求項５】
前記隆起部は、手を挿入する第１の方向と交差する第２の方向に長尺状で、かつ、該隆起部の両端部が前記載置面の前記第２の方向における縁に達しないように設けられている請求項１〜請求項４の何れか１項に記載の光照射装置。
【発明の詳細な説明】
【技術分野】
【０００１】
本発明は、手を挿入可能な空洞部を有し、該空洞部内に挿入された手に光を照射する光照射装置に関する。
【背景技術】
【０００２】
従来より、被写体を照射するための光照射装置として、様々なものが提案されている。例えば、特許文献１や特許文献２に記載されているようなジェルネイル硬化装置は、複数の光源と、該光源を収納した本体と、使用者の手に光を照射する照射室と、該照射室に使用者の手を挿入する挿入口と、を備える。
【０００３】
このジェルネイル硬化装置には、照射室内に手の掌を載置するための載置面が設けられている。使用者は、挿入口から手を照射室内に挿入し、載置面に手の掌を載置する。そして、光源から光が照射されると、ジェルネイル硬化装置は、光が照射室内の手に照射されるように構成されている。
【先行技術文献】
【特許文献】
【０００４】
【特許文献１】登録実用新案第３１５１６９８号公報
【特許文献２】登録実用新案第３０４３１６６号公報
【発明の概要】
【発明が解決しようとする課題】
【０００５】
このジェルネイル硬化装置の載置面は、使用者が直接手の掌の全面を載置して使用する。よって、その載置面には、使用者が触れた箇所にハンドクリームや汗、手垢などが付着することがある。更に、このジェルネイル硬化装置は、不特定多数の使用者が使用することも想定している。そこで、使用者の中には、他の使用者が使用した後にこの載置面に付着している付着物を気にしたり、不快に感じたりする者もいる。特に、この載置面は、指先だけでなく掌の全面を接触させるため、気にする使用者が多い傾向にある。
【０００６】
本発明は、かかる事情に鑑み、使用者が手を載置面に載置する際に、手の掌の全面が載置面に接触しにくくすることができる光照射装置を提供することを目的とする。
【課題を解決するための手段】
【０００７】
本発明の光照射装置は、挿入した手に光を照射する光照射装置であって、筐体と、前記筐体に設けられ、手を指先から挿入可能な開口を有する空洞部と、前記空洞部に挿入された手を掌側にて載置する載置面と、手の掌底部に対応した載置面上の位置に設けられる隆起部と、を備えるという構成を有している。
【０００８】
かかる構成によれば、空洞部に手を挿入して載置面に手を載置する際に、隆起部により掌が浮き上がり、指が自然と曲がるため、掌を載置面に載置するときに、隆起部に接触する掌底部と、指先のみが載置面に接触するようになる。そして、掌底部と指先以外の残りの掌の部位は、載置面から離れた状態になる。よって、この隆起部は、掌の全面が載置面に接触しにくくすることができる。
【０００９】
また、請求項２記載の発明において、前記隆起部は、手の掌底部が接触する接触面であって、開口側から奥側にかけて立ち上がるように傾斜する接触面を有することが好ましい。
【００１０】
かかる構成によれば、手を空洞部に挿入する際に、隆起部は、掌底部の、空洞部から手を挿入する第１の方向と交差する第２の方向（掌の幅方向）に添って接触するようになる。よって、この隆起部は、手を挿入する方向に掌をまっすぐ載置させやすくなっている。
【００１１】
また、手を載置面に載置する際に、隆起部は、載置面に掌を載置する位置の目安となり、掌を載置面に位置決めしやすくなっている。
【００１２】
また、請求項３記載の発明において、前記隆起部は、前記接触面から立ち下がるように傾斜する背面を有することが好ましく、この場合、請求項４記載の発明において、前記背面の載置面に対する傾斜角は、前記接触面の載置面に対する傾斜角よりも大きいことが好ましい。
【００１３】
かかる構成によれば、掌底部が背面に接触しにくいようになっている。つまり、隆起部は、掌を効果的に浮かせつつ、できる限り掌と接触する領域を少なくすることができる。
【００１４】
また、請求項５記載の発明において、前記隆起部は、手を挿入する第１の方向と交差する第２の方向に長尺状で、かつ、該隆起部の両端部が前記載置面の前記第２の方向における縁に達しないように設けられていることが好ましい。
【００１５】
かかる構成によれば、隆起部が載置面の第２の方向における端から端まで設けられていないため、載置面の奥側で掻き集められた付着物を手前側に引き寄せる際、その付着物は、隆起部を乗り越えさせなくとも、隆起部の両端側を通して拭き取られる。つまり、隆起部は、載置面に付着した付着物を拭き取る際にその妨げとなりにくくなっている。
【発明の効果】
【００１６】
本発明の光照射装置によれば、使用者が手を載置面に載置する際に、手の掌の全面が載置面に接触しにくくすることができる。
【図面の簡単な説明】
【００１７】
【図１】本発明の実施形態に係る光照射装置の制御回路図
【図２】同実施形態に係る光照射装置の全体斜視図
【図３】同実施形態に係る光照射装置の光学系の断面図
【図４】同実施形態に係る光照射装置の全体断面図
【図５】同実施形態に係る光照射装置の隆起部であって、（ａ）は平面図、（ｂ）は正面図、（ｃ）は側面図
【図６】同実施形態に係る光照射装置の使用状態図
【発明を実施するための形態】
【００１８】
本発明の一実施形態に係る光照射装置について、図面を参酌しつつ、説明する。まず、同実施形態に係る光照射装置について、図１〜図６を参酌しつつ説明する。同実施形態に係る光照射装置１は、主に、炎症性疾患の罹患を予防し又は罹患時の当該疾患の症状を軽減する予防治療を受ける被治療者や、炎症性疾患を抑制することにより炎症性疾患の治療を受ける被治療者（患者）などの治療を受けるために当該装置を使用する使用者に光を照射する。
【００１９】
同実施形態に係る光照射装置１は、図１で図示する光照射装置の制御回路図に示されているように、光を放射する発光部２と、該発光部２からの放射光を反射する反射部３と、該反射部３からの反射光を透過させて被写体に導光する導光部４と、発光部２からの放射光のうち波長が特定の範囲内の放射光を透過させる波長透過手段５と、発光部２の発光を制御する発光制御手段６と、発光部２及び発光制御手段６に電気を供給する電源供給手段７と、発光部２、反射部３、導光部４、波長透過手段５、発光制御手段６及び電源供給手段７を収納するとともに、波長透過手段５から透過された透過光を使用者の予防したい部位又は罹患した部位（特定部位）に照射可能な構造を有する装置本体８（図２参照）と、を備える。
【００２０】
発光部２は、図３に示すように、光源９と、反射傘１０と、波長透過手段５に入射する放射光の入射角度を整合するために、反射傘１０の開口部に取り付けられるフレネルレンズ１１と、を備える。
【００２１】
光源９は、炎症性サイトカインの産生を抑制するために使用者の生体の予防したい部位又は罹患した部位に照射する光源となる。光源９は、例えば、キセノン放電管やハロゲン放電管などの（閃光）放電管であって、特に、本実施形態では、キセノン放電管を用いる例を説明する。
【００２２】
反射傘１０は、導光部４の第１の導光面１２に接する接線（本実施形態では平面である導光部４の第１の導光面１２を延長させた面上の任意の直線）Ａより導光部４の被写体側と反対側に向かう放射光を反射し、接線Ａより導光部４の被写体側に向けて反射する。
【００２３】
フレネルレンズ１１は、波長透過手段５が入射角依存性を有するフィルタを用いる場合に用いられる。つまり、フレネルレンズ１１は、光源９から入射される入射角度が使用する波長透過手段５の許容可能な角度以内となるように設けられている。なお、フレネルレンズ１１は、例えば、入射角依存性がない色ガラスフィルターなどを用いる場合であれば、省略することもできる。
【００２４】
反射部３は、波長透過手段５を透過した透過光が使用者の予防したい部位又は罹患した部位に照射されるように、光源９から略全方位に放射される放射光の照射範囲を制御する。本実施形態に係る反射部３は、発光部２からの放射光を導光部４の第１の導光面１２に反射する第１の反射部１３と、発光部２からの放射光の間接光を導光部４の（第１の導光面１２とは別の）第２の導光面１４に反射する第２の反射部１５と、発光部２からの放射光の一部を第２の反射部１５に反射する第３の反射部１６と、を備える。
【００２５】
第１の反射部１３は、導光部４の第１の導光面１２に面して配置され、導光部４が反射光を透過させる位置が発光部２から遠くなるほど第１の反射部１３の反射面と導光部４の第１の導光面１２との間の光路長が短くなるように配置される。第１の反射部１３は、発光部２の反射傘１０から略連続して形成され、第１の導光面１２の、発光部２とは反対側の端部まで設けられている。
【００２６】
第２の反射部１５は、導光部４（第１の導光面１２及び第２の導光面１４）を挟んで第１の反射部１３とは反対側に配置される。すなわち、第２の反射部１５は、第１の反射部１３と対向するように配置される。第２の反射部１５は、導光部４の第２の導光面１４に面して配置され、導光部４が反射光を透過させる位置が発光部２から遠くなるほど第２の反射部１５の反射面と導光部４の第２の導光面１４との間の光路長が短くなるように配置される。
【００２７】
第３の反射部１６は、反射板１７である。この反射板１７は、発光部２（のフレネルレンズ１１）や波長透過手段５に対して傾斜するよう配置される。より詳しくは、反射板１７は、発光部２から第１の反射部１３に向かう方向と直交する軸回りにおいて、発光部２から第１の反射部１３に向かう方向と直交するのではなく当該方向に対して所定角度で傾斜するよう配置される。
【００２８】
導光部４は、それぞれ対向して配置される第１の導光面１２と第２の導光面１４とを備える。本実施形態では、第１の導光面１２は、使用者の手の甲（手首から指先までの手の外側の面）に対向して配置される。第２の導光面１４は、使用者の手の掌（手首から指先までの手の内側の面）に対向して配置される。
【００２９】
波長透過手段５は、発光部２から第１の反射部１３に向けて放射される放射光の光路上に配置される。本実施形態に係る波長透過手段５は、第３の反射部１６よりも発光部２側に配置される。
【００３０】
波長透過手段５は、発光部２からの放射光の、１以上の特定の波長、又は、１以上の特定範囲の波長の放射光のみを透過する光学フィルタである。本実施形態に係る光学フィルタは、特定範囲の波長（帯）の放射光のみを選択的に透過するバンドパスフィルタ（干渉フィルタ）を例に説明する。波長透過手段５は、波長が５６６．５ｎｍ以上７８０ｎｍ以下の範囲内の放射光を透過させる。また、波長透過手段５は、好ましくは、波長が５６６．５ｎｍ以上７４６ｎｍ以下の範囲内の放射光を透過させるようにしてもよい。
【００３１】
発光制御手段６は、発光部２を１回又は複数回に分けて閃光発光させたり、所定の発光間隔で発光制御させたり、複数回に分けて閃光発光させる場合は、更に、発光部２が放射する放射エネルギーを所定の放射エネルギー以下に抑えて閃光発光させるなどの様々な発光パターンで発光部２を発光制御する。
【００３２】
電源供給手段７は、図１に示すように、発光部２の発光エネルギーを蓄える蓄電手段１８と、該蓄電手段１８を充電する充電回路１９と、蓄電手段１８に電気を供給する電源部２０と、該電源部２０のオン・オフを切り替える電源スイッチ２１と、を備える。電源供給手段７は、発光部２以外にも、発光制御手段６の電源としても用いられる。
【００３３】
蓄電手段１８は、例えば、発光部２を発光させるのに必要な電気容量を有し、光源２と並列に接続される主コンデンサである。充電回路１９は、電源部２０を介して供給される電気を蓄電手段１８に充電する。電源部２０は、例えば、プラグ受け（電源コンセント）に接続して電気の供給を受け付けるためのプラグと電源ケーブルとを備える。なお、電源部２０は、電池又は充電池などを備えるものであってもよい。
【００３４】
装置本体８は、図２に示すように、少なくとも一つの開口を有する略直方体形状に形成されている。この装置本体８は、図２に加え、図４の断面図にも詳細に示すように、筐体２２と、筐体２２に設けられ、手を指先から挿入可能な開口２３を有する空洞部２４と、空洞部２４に挿入された手を掌側にて載置する載置面２５と、手の掌底部に対応した載置面２５上の位置に設けられる隆起部２６と、を備える。
【００３５】
筐体２２には、一方の面（以下、「正面」と称する）に設けられた開口２３からその内側に略直方形に形成された空間である空洞部２４が設けられる。この空洞部２４は、正面に設けられた開口２３から筺体２２の正面と反対の面（以下、「背面」と称する）側に向かって設けられる。つまり、空洞部２４は、使用者が手を筺体２２の正面側から背面側に向かって挿入できるように構成されている。そして、空洞部２４は、使用者の手が挿入されて収納可能な空間である。空洞部２４は、挿入された使用者の手の上方から手の甲に第１の導光面１２からの光が照射されるように第１の導光面１２に面して配置される。また、空洞部２４は、挿入された使用者の手の下方から手の掌に第２の導光面１４からの光が照射されるように第２の導光面１４に面して配置される。
【００３６】
載置面２５は、空洞部２４の下方に沿って設けられている。載置面２５は、第２の導光面１４とともに使用者の手の掌を載置する部分を指す。載置面２５の、筺体２２の正面側から背面側に向かう第１の方向Ｂの長さは、使用者の手の指先から手首側の端部に至るまでの長さ以上を有する。
【００３７】
隆起部２６は、載置面２５の開口２３側に設けられている。隆起部２６は、載置面２５のうち、第２の導光面１４が設けられていない位置に設けられている。隆起部２６の外形は、第１の方向Ｂに切断した断面形状が三角形状となるように形成されている。つまり、隆起部２６は、使用者の手の掌底部がその頂点付近で接するように設けられている。
【００３８】
隆起部２６は、４つの面を有する。これらの面は、載置面２５に対して所定の角度で傾斜して設けられる傾斜面である。これらの傾斜面は、筐体２２に手を挿入する第１の方向Ｂに対して交差する第２の方向Ｃ（図５参照）に沿うように長尺状に、且つ、隆起部２６の長尺方向の両端部が載置面２５の第２の方向Ｃにおける縁に達しないように設けられている。
【００３９】
これらの傾斜面は、図５（ａ）〜図５（ｃ）に示すように、筐体２２の開口２３（図２参照）側に設けられる第１の傾斜面２７と、筐体２２に手を挿入する第１の方向Ｂに向けて設けられる第２の傾斜面２８と、第２の方向Ｃの両側に設けられる第３の傾斜面２９，２９と、を備える。
【００４０】
第１の傾斜面２７は、筐体２２の開口２３側から奥側にかけて立ち上がるように傾斜する傾斜面である。第１の傾斜面２７は、後述するように、掌底部が接触するので、本発明の接触面に相当する。第１の傾斜面２７は、第１の方向Ｂに沿う長さが第２の方向Ｃの中央にゆくにつれて長くなるように設けられている。つまり、第１の傾斜面２７は、第２の方向Ｃの中央にゆくにつれて緩やかに湾曲した傾斜面である。
【００４１】
第２の傾斜面２８は、第１の傾斜面２７から立ち下がるように傾斜する傾斜面である。本発明の背面に相当する。第２の傾斜面２８の載置面２５に対する傾斜角は、第１の傾斜面２７の載置面２５に対する傾斜角よりも大きくなっている。第２の傾斜面２８は、載置面２５から略均一の角度で傾斜した傾斜面である。そして、第２の傾斜面２８は、第１の方向Ｂに沿う長さが略均一となるように設けられている。
【００４２】
第３の傾斜面２９は、空洞部２４の第２の方向Ｃに面する両側面に対向するように設けられた傾斜面である。
【００４３】
次に、同実施形態に係る光照射装置１の作用について、図１〜図６を参照しつつ説明する。まず、図５に示すように、使用者は、開口２３から手を挿入する。より詳しく言うと、手の甲が上となるように、すなわち、手の甲が第１の導光面１２側、手の掌が第２の導光面１４側となるように、使用者は、装置内に手を挿入する。そして、電源スイッチをオンにする。すると、光照射装置１に電源が入り、発光制御手段６が発光部２を発光させて光を放射させる。
【００４４】
図３に示すように、発光部２からの放射光は、直接的に、あるいは反射傘１０で反射されて間接的にフレネルレンズ１１に向かって放射される。そして、フレネルレンズ１１に到達した放射光は、当該フレネルレンズ１１を透過し、導光部４の第１の導光面１２又は第１の反射部１３に向かって放射され、第１の導光面１２を透過して使用者の手の甲に照射される。
【００４５】
また、発光部２からの放射光１５の一部は、第３の反射部１６（の本体部２６）で反射されて、第２の反射部１５に導かれる。そして、第２の反射部１５に入射された光は、第２の反射部１５で反射されて、第２の導光面１４から使用者の手の掌に照射される。
【００４６】
使用者は、このようにして光照射装置１を複数人で共用する。各使用者は、筐体２２の空洞部２４に手を挿入して載置面２５に手を載置する際に、隆起部２６により掌が浮き上がり、指が自然と曲がるため、掌を載置面２５に載置するときに、隆起部２６に接触する掌底部と、指先のみが載置面２５に接触するようになる。そして、掌底部と指先以外の残りの掌の部位は、載置面２５から離れた状態になる。よって、この隆起部２６は、掌の全面が載置面２５に接触しにくくすることができる。つまり、使用者が空洞部２４内で意図的に手の掌を反り返すようにしなければ、載置面２５には、手の掌の全面が接触しないようになっている。そして、載置面２５にハンドクリームなどが付着しにくいため、この光照射装置１は、多人数で共用しても、使用者が不快感を抱きにくい構造となっている。
【００４７】
また、手を空洞部２４に挿入する際に、隆起部２６は、掌底部の、空洞部２４から手を挿入する第１の方向Ｂと交差する第２の方向（掌の幅方向）Ｃに添って接触するようになる。よって、この隆起部２６は、手を挿入する方向に掌をまっすぐ載置させやすくなっている。
【００４８】
また、使用者は、空洞部２４内に挿入した手を載置面２５に載置する際に、隆起部２６に掌の手首側の部位を合わせて載置する。つまり、隆起部２６は、載置面２５に掌を載置する位置の目安となり、掌を載置面２５に位置決めしやすくなっている。なお、掌を載置面２５に位置決めする手段として、載置面２５に載置した際に指と指との間が位置する位置にガイドを設けることも考えられる。しかし、本実施形態のように、掌の指先が位置する載置面２５上の部分に第２の導光面１４が設けられる場合には、光学特性上、載置面２５をこのような複雑な構造とすることは好ましくない。これに対して、本実施形態に係る隆起部２６による位置決め手段によれば、隆起部２６は、第２の導光面１４上に設ける必要がなく、第２の導光面１４が複雑な構造となるようなことはない。
【００４９】
また、掌底部が第２の傾斜面２８に接触しにくいようになっている。つまり、隆起部２６は、掌を効果的に浮かせつつ、できる限り掌と接触する領域を少なくすることができる。
【００５０】
また、隆起部２６が載置面２５の第２の方向Ｃにおける端から端まで設けられていないため、載置面２５の奥側で掻き集められた付着物を手前側に引き寄せる際、その付着物は、隆起部２６を乗り越えさせなくとも、隆起部２６の両端側を通して拭き取られる。よって、隆起部２６は、載置面２５に付着した付着物を拭き取る際にその妨げとなりにくくなっている。
【００５１】
なお、本発明に係る光照射装置は、上記実施形態に限定されるものではなく、本発明の要旨を逸脱しない範囲内において種々変更を加え得ることは勿論である。
【００５２】
例えば、上記実施形態に係る光照射装置１は、載置面２５に第２の導光面１４が含まれる例を説明したが、これに限定されるものではない。手の掌に光を照射するための第２の導光面１４が光照射装置に設けられておらず、他の導光面が設けられている場合、載置面は、この第２の導光面１４と同一面上に設けられていなくとも、手を載置できるように設けられておればよい。
【００５３】
また、上記実施形態に係る光照射装置１は、隆起部２６が４つの面を有する例を説明したが、これに限定されるものではない。隆起部は、少なくとも第１の傾斜面２７を有していることが好ましく、第１の傾斜面２７と第２の傾斜面２８とを有するものであってもよい。
【００５４】
また、上記実施形態に係る光照射装置１は、隆起部２６が載置面２５上の第２の方向Ｃに沿って長尺状に設けられる例を説明したが、これに限定されるものではない。隆起部は、載置面上に第２の方向Ｃに沿って円弧状、半円状又は楕円形状に設けられていてもよい。このような形状の隆起部は、自然に載置面上の所望の位置に使用者の手を位置決めさせ易くする。
【産業上の利用可能性】
【００５５】
本発明に係る光照射装置１は、挿入した手に光を照射する光照射装置であって、筐体２２と、筐体２２に設けられ、手を指先から挿入可能な開口２３を有する空洞部２４と、空洞部２４に挿入された手を掌側にて載置する載置面２５と、手の掌底部に対応した載置面２５上の位置に設けられる隆起部２６と、を備える構成とすることによって、手の掌の全面が載置面２５に接触しにくいようにすることができる構成を必要とする用途に適用することができる。
【符号の説明】
【００５６】
１  光照射装置
２２  筐体
２３  開口
２４  空洞部
２５  載置面
２６  隆起部
２７  第１の傾斜面
２８  第２の傾斜面
２９  第３の傾斜面
【図１】
2013153936.tif 000003
【図２】
2013153936.tif 000004
【図３】
2013153936.tif 000005
【図４】
2013153936.tif 000006
【図５】
2013153936.tif 000007
【図６】
2013153936.tif 000008